(57)【特許請求の範囲】
【請求項１】
マジックミラーの反射膜に多数の光透過孔を散在して形成し、
この反射膜の裏側に光透過性の光フィルターを配置し、
この光フィルターの裏側に配置された光源部から光を照射してこの光が前記光フィルターと前記マジックミラーとを通り抜けてこのマジックミラーの表側に出ることにより、前記多数の光透過孔に対応する星像群を作り出すようにしたことを特徴とする星空表示装置。
【請求項２】
前記光フィルターは、前記反射膜を覆ってその裏面に固着された光透過性の腐食防止膜の裏面に固着されており、
前記光フィルターにも、前記反射膜に散在して形成された前記多数の光透過孔と同じ配置で多数の光透過孔が散在して形成されていることを特徴とする請求項１に記載の星空表示装置。
【請求項３】
前記光フィルターは前記反射膜を覆ってその裏面に固着されるとともに、この光フィルターにも前記反射膜の前記多数の光透過孔と連通して同じ位置に多数の光透過孔が散在して形成され、
光透過性の腐食防止膜が前記光フィルターを覆ってその裏面に固着されていることを特徴とする請求項１に記載の星空表示装置。
【請求項４】
マジックミラーの反射膜を光学フィルターで形成するとともにこの光学フィルターに多数の光透過孔を散在して形成し、
この光学フィルターの裏面にこの光学フィルターを覆う光透過性の腐食防止膜を固着し、
この腐食防止膜の裏側に配置された光源部から光を照射してこの光が前記腐食防止膜と前記マジックミラーとを通り抜けてこのマジックミラーの表側に出ることにより、前記多数の光透過孔に対応する星像群を作り出すようにしたことを特徴とする星空表示装置。
【請求項５】
マジックミラーの反射膜の裏面にこの反射膜を覆う光透過性の光フィルターを固着するとともにこの光フィルターに多数の光透過孔を散在して形成し、
この光フィルターの裏側に配置された光源部から光を照射してこの光が前記光フィルターと前記マジックミラーとを通り抜けてこのマジックミラーの表側に出ることにより、前記多数の光透過孔に対応する星像群を作り出すようにしたことを特徴とする星空表示装置。
【請求項６】
前記光透過孔には光透過性で着色された色素部が形成されていることを特徴とする請求項１ないし５のいずれかの項に記載の星空表示装置。
【請求項７】
前記光源部は、前記光を発生する光源と、この光源から所定距離離れて配置され、ほぼ均一な光を照射するための光拡散板とを有していることを特徴とする請求項１ないし６のいずれかの項に記載の星空表示装置。
【請求項８】
前記光源部には薄型面発光素子が使用されていることを特徴とする請求項１ないし６のいずれかの項に記載の星空表示装置。
【請求項９】
請求項１ないし８のいずれかの項に記載の星空表示装置を有する家具であって、
壁掛け鏡，卓上鏡，浴室用鏡，ドレッサー，鏡台，窓状鏡，時計，装飾窓およびテーブルからなる群から選択される一の家具であることを特徴とする星空表示装置を有する家具。
【請求項１０】
請求項１ないし８のいずれかの項に記載の星空表示装置を有する建造物。
【請求項１１】
請求項１ないし８のいずれかの項に記載の星空表示装置を有するミラーハウス。
【発明の詳細な説明】
【技術分野】
【０００１】
本発明は、あたかも実際の星空のようなシャープで奥行き感のある星像群と所望の背景とを作り出すことができる星空表示装置，これを有する家具，建造物およびミラーハウスに関する。
【背景技術】
【０００２】
星空のような星像群を作り出す装置として、たとえば、特許文献１（特開２００３−２４１３０３号公報）には、星空をスクリーンドームや室内の壁や天井に広角に簡易に投影することができるプラネタリウム装置が記載されている。
このプラネタリウム装置は、投影装置からある距離をおいたところに設けたドームスクリーンや室内の壁や天井に星像群を投影し、ユーザーはその反射光を見るようになっている。
その投影される星像群は、レンズを用いて星像のピントぼけを少なくする工夫がなされているが、原理的にピントのぼけをゼロにすることはできない。特に、一般的な箱型形状の室内の壁や天井に投影された星像群は、投影装置からの距離や角度が一定にできないため、全ての星像をシャープにすることは原理的に困難であった。
そこで、特許文献２（実用新案登録第３０８１７６９号公報）には、光ファイバーを使用して星の並びを再現した簡易プラネタリウムが提案されている。
また、特許文献３（実用新案登録第３０５３６２０号公報）には、星座学習のための夜光塗料により天体を表示した壁紙または天井紙が記載され、さらに、特許文献４（特開２００２−３４７４５号公報）には、カラー写真画像を取り込んだ装飾鏡が記載されている。
【０００３】
【特許文献１】特開２００３−２４１３０３号公報
【特許文献２】実用新案登録第３０８１７６９号公報
【特許文献３】実用新案登録第３０５３６２０号公報
【特許文献４】特開２００２−３４７４５号公報
【発明の開示】
【発明が解決しようとする課題】
【０００４】
特許文献２に記載の簡易プラネタリウムでは、ユーザーは「直接光」を見ることになるが、奥行き感のある星像群を作り出すための対策はなされていない。よりリアルな星空を再現しようとすればするほど、多数で且つ幾種類もの太さの光ファイバーが必要となり、装置が複雑化するとともに製作が困難であった。
また、光ファイバーは小半径で曲げるのが難しいので、装置の薄型化が困難であり、さらに、大量の光ファイバーの束に光を供給するための投光部が必要なので、装置の小型化が困難であった。
【０００５】
特許文献３に記載の壁紙または天井紙では、多数の星座が表されているが、その奥行き感を出すための対策はなされていない。また、特許文献２および特許文献３に記載のものは、周囲が暗いときにのみ使用するものであり、使用環境の明るさ条件には大きな制約がある。
特許文献４に記載の装飾鏡は、鏡面内の一部分にカラー写真画像を取り込んでいるが、星像群を作り出して表示するようにはなっていない。
【０００６】
本発明は、このような課題を解決するためになされたもので、周囲の物体や光の映り込みの影響を抑制でき、シャープで奥行き感のある星像群と、所望の背景とを作り出して表示することができ、通常の鏡としても使用することができる簡素な構成の星空表示装置，これを有する家具，建造物およびミラーハウスを提供することを目的とする。
【課題を解決するための手段】
【０００７】
上述の目的を達成するため、本発明にかかる星空表示装置は、マジックミラーの反射膜に多数の光透過孔を散在して形成し、この反射膜の裏側に光透過性の光フィルターを配置し、この光フィルターの裏側に配置された光源部から光を照射してこの光が前記光フィルターと前記マジックミラーとを通り抜けてこのマジックミラーの表側に出ることにより、前記多数の光透過孔に対応する星像群を作り出すようにしている。
前記光フィルターは、前記反射膜を覆ってその裏面に固着された光透過性の腐食防止膜の裏面に固着されており、前記光フィルターにも、前記反射膜に散在して形成された前記多数の光透過孔と同じ配置で多数の光透過孔が散在して形成されているのが好ましい。
なお、前記光フィルターは前記反射膜を覆ってその裏面に固着されるとともに、この光フィルターにも前記反射膜の前記多数の光透過孔と連通して同じ位置に多数の光透過孔が散在して形成され、光透過性の腐食防止膜が前記光フィルターを覆ってその裏面に固着されている場合であってもよい。
上述の目的を達成するため、他の実施態様にかかる星空表示装置は、マジックミラーの反射膜を光学フィルターで形成するとともにこの光学フィルターに多数の光透過孔を散在して形成し、この光学フィルターの裏面にこの光学フィルターを覆う光透過性の腐食防止膜を固着し、この腐食防止膜の裏側に配置された光源部から光を照射してこの光が前記腐食防止膜と前記マジックミラーとを通り抜けてこのマジックミラーの表側に出ることにより、前記多数の光透過孔に対応する星像群を作り出すようにしている。
また、上述の目的を達成するため、さらに他の実施態様にかかる星空表示装置は、マジックミラーの反射膜の裏面にこの反射膜を覆う光透過性の光フィルターを固着するとともにこの光フィルターに多数の光透過孔を散在して形成し、この光フィルターの裏側に配置された光源部から光を照射してこの光が前記光フィルターと前記マジックミラーとを通り抜けてこのマジックミラーの表側に出ることにより、前記多数の光透過孔に対応する星像群を作り出すようにしている。
上述の各星空表示装置において、前記光透過孔には光透過性で着色された色素部が形成されているのが好ましい。
また、前記光源部は、前記光を発生する光源と、この光源から所定距離離れて配置され、ほぼ均一な光を照射するための光拡散板とを有しているのが好ましい。なお、前記光源部には薄型面発光素子が使用されている場合であってもよい。
本発明にかかる家具は、前記星空表示装置を有する家具であって、壁掛け鏡，卓上鏡，浴室用鏡，ドレッサー，鏡台，窓状鏡，時計，装飾窓およびテーブルからなる群から選択される一の家具である。
なお、前記構成の星空表示装置を、建造物またはミラーハウスに適用することも可能である。
【発明の効果】
【０００８】
本発明の星空表示装置は、上述のように構成したので、周囲の物体や光の映り込みの影響を抑制でき、シャープで奥行き感のある星像群と所望の背景とを作り出して表示することができ、通常の鏡としても使用することができ、また、簡素な構成にすることができる。
【発明を実施するための最良の形態】
【０００９】
下記の各実施例では、鏡部にマジックミラーと光フィルター（または、光学フィルター）とを用いるとともに多数の光透過孔を散在させ、光源部から照射された光がマジックミラーの表側に出ることにより、多数の光透過孔に対応する星像群を作り出す構成にしている。
これにより、周囲の物体や光の映り込みの影響を抑制でき、シャープで奥行き感のある星像群と、所望の背景とを作り出す機能を発揮するとともに、通常の鏡としての機能も発揮するという目的を実現している。
【００１０】
本発明にかかる星空表示装置は、マジックミラーを構成部材とする各種物品（たとえば、壁掛け鏡など家具類）に適用することができる。この星空表示装置を適用する家具としては、壁掛け鏡，卓上鏡，浴室用鏡，ドレッサー，鏡台，窓状鏡，時計（特に、時計の文字盤），装飾窓，テーブルなどがある。
星空表示装置は、上述の家具のほか、マジックミラーを有する宝石箱，装飾置物やディスプレイ器具など小物類，万華鏡のようなマジックミラーを使用した玩具類，科学教育（特に、天文教育）の教材として使用するための簡易プラネタリウム，自動車用アクセサリーとしてのルームミラー，ランプシェード類などにも適用することができる。
星空表示装置は、高い装飾性や癒し効果が求められる建造物などの天井，壁，床のほか、エレベータの天井，壁などに装飾材として使用可能である。たとえば、住宅，ホテル，店舗，その他の建造物の室，廊下，ロビーの壁，天井，床面などがあり、また、遊園地やテーマパークに設置されたミラーハウスにも適用可能である。
また、星空表示装置は、店舗の商品ディスプレイ（たとえば、宝石，貴金属，時計，眼鏡，その他種々の商品のディスプレイ）としても有効である。
星空表示装置のマジックミラーは、通常は平面であるが、球面形，楕円形，放射面などの曲面であってもよい。
【実施例】
【００１１】
以下、本発明にかかる実施例を、図１ないし図１７を参照して説明する。
図１は、本発明にかかる星空表示装置を有する壁掛け鏡の使用状態を示す斜視図、図２は、図１に示す壁掛け鏡の斜視図である。
図３は、前記星空表示装置の第１の実施例にかかる基本構造を示す分解斜視図、図４は、第１の実施例の一実施態様を示す組立断面構造図、図５は、第１の実施例の他の実施態様を示す組立断面構造図、図６は、前記星空表示装置の第２の実施例を示す組立断面構造図である。
図７は、第１の実施例，第２の実施例について、奥行き感のある星像群を作り出す原理を説明する図で、図７（Ａ），（Ｂ）はそれぞれ断面図，斜視図である。
図８は、前記星空表示装置の第３の実施例にかかる基本構造を示す分解斜視図、図９は、第３の実施例を示す組立断面構造図、図１０は、第３の実施例について、奥行き感のある星像群を作り出す原理を説明する図で、図１０（Ａ），（Ｂ）はそれぞれ断面図，斜視図である。
【００１２】
図１ないし図１０に示すように、本発明にかかる星空表示装置１，１ａ，１ｂ，１ｃは、鏡部１０ａ，１０ｂ，１０ｃに多数の光透過孔を散在して形成している。光が通り抜け可能な多数の光透過孔のうち透過孔４，４ａ，４ｂを例にとって以下説明する。
多数の光透過孔４，４ａ，４ｂは、実際の星空における星の位置に対応する相対的な位置に形成され、また、実際の星空における星の明るさに対応する相対的な大きさに形成されている。図１ないし図１０では、星空表示装置１，１ａ〜１ｃにより、オリオン座およびその付近の天体に類似している星像群６を作り出して表示する場合を示している。
【００１３】
鏡部１０，１０ａ〜１０ｃの裏側に配置された光源部５から鏡部１０，１０ａ〜１０ｃに光Ｒを照射し、光Ｒが鏡部１０，１０ａ〜１０ｃを通り抜けて鏡部１０，１０ａ〜１０ｃの表側（ユーザーのいる方向）に出ることにより、多数の光透過孔４，４ａ，４ｂに対応する星像群６を作り出すようにしている。なお、鏡部１０，１０ａ〜１０ｃには、光Ｒをほぼ均一に照射するのが好ましいが、わざと不均一に照射して特有の星像群６を作り出すようにしてもよい。
星空表示装置１，１ａ〜１ｃは、マジックミラー２を使用して背景９を表示しているので、星空表示装置１，１ａ〜１ｃの周囲の物体や光の映り込みの影響を抑制でき、シャープで奥行き感のある星像群６を作り出して表示することができる。
また、光フィルター８，８ａ，８ｃ（または、光学フィルター８ｂ）とマジックミラー２を使用することにより、所望の背景９を作り出して表示することができ、さらに、光源部５をオフすれば通常の鏡としても使用することができる。
【００１４】
もし、マジックミラーの代わりに通常の鏡を使用すると仮定すると、星空表示装置の周囲が明るい場合、その周囲の物体や光が背景（鏡の反射面）に映り込んでしまうので、せっかく作り出した星像群６が、物体や光の像に埋もれて見えにくくなってしまう。
そのため、星空表示装置の周囲の物体や光が背景（鏡の反射面）に映り込まないように、星空表示装置の周囲を十分に暗い環境にする必要があるので、星空表示装置の使用環境の明るさ条件には大きな制約がある。
【００１５】
これに対して、本発明の星空表示装置１，１ａ〜１ｃでは、光源部５の光Ｒが、マジックミラー２を通り抜けてその表側に出て、星像群６や所望の背景９を作り出すので、星空表示装置１，１ａ〜１ｃの周囲の物体や光の映り込みの影響を抑制することができる。
その結果、星空表示装置１，１ａ〜１ｃを明るい場所で使用しても（たとえば、室内に照明がついている場合でも）、周囲の物体や光の映り込みが目立たなくなり、星像群６や背景９が、ユーザーに感動を与えるほど美しく且つ明瞭に表示される。
【００１６】
本発明は、実際の星空と同じように一つの星に対して一つの光透過孔を対応させて形成しているので、写真や画像などを使用する従来技術と比べて、極めてシャープで高いコントラストを有する美しい星像群６を得ることができる。
本発明の星空表示装置１，１ａ〜１ｃは、周囲が暗くても明るくても使用可能で、使用環境の明るさ条件の制約がほとんどない。たとえば、日中の屋外や非常に明るい室内などでは使用できないが、日中で電灯をつけない程度の明るさの室内なら十分に使用可能である。
また、マジックミラー２を遠いところから見ても近くから見ても、シャープで奥行き感のある星像群と、所望の背景が得られるので、星空表示装置１，１ａ〜１ｃは、使用条件の制約が少なく、常時高い装飾性を発揮し、用途も広い。
ドームスクリーンや投影装置などが必要な従来のプラネタリウム装置と比べて、星空表示装置１，１ａ〜１ｃは簡素な構成で製造が容易である。
【００１７】
まず、図１ないし図４を参照して、第１の実施例の一実施態様について説明する。
図１，図２は、星空表示装置１，１ａ〜１ｃを用いて、家具としての壁掛け鏡２０を構成した場合を示している。この壁掛け鏡２０は、通常、住宅の寝室や居間の壁に設置したり、ホテルの客室，廊下，ロビーの壁などに設置して使用される。
【００１８】
図３，図４に示す星空表示装置１は、マジックミラー２の反射膜３に多数の光透過孔４，４ａ，４ｂを散在して形成し、反射膜３の裏側に光透過性の光フィルター８を配置している。
光フィルター８の裏側に配置された光源部５から光Ｒを照射して、光Ｒが光フィルター８とマジックミラー２とを通り抜けてこのマジックミラー２の表側に出ることにより、多数の光透過孔４，４ａ，４ｂに対応する星像群６を作り出すようにしている。
星空表示装置１は、マジックミラー２と光フィルター８を使用しているので、壁掛け鏡２０の周囲の物体や光の映り込みの影響を抑制でき、シャープで奥行き感のある星像群６と所望の背景９とを作り出して表示することができ、光源部５をオフすれば通常の鏡としても使用することができ、簡素な構成にすることができる。
【００１９】
星空表示装置１において、光フィルター８は、マジックミラー２の反射膜３を覆ってその裏面に固着された光透過性の腐食防止膜７の裏面に固着されている。星空表示装置１の鏡部１０は、マジックミラー２と、マジックミラー２の裏側に層状に重ねて配置された腐食防止膜７および光フィルター８とを有している。
マジックミラー２は、光透過性の鏡母材１１と、鏡母材１１の裏面に固着された反射膜３とを有している。マジックミラー２は、白いレースカーテンと同じように、暗い側からは明るい側を透視できるが、明るい側からは透視できず鏡になる機能を有するものである。
マジックミラー２は、透明なガラスまたは樹脂からなる鏡母材１１の裏面に、鍍金，金属のスパッタリング，蒸着などにより、光を一部透過するように鏡母材１１に薄く形成された金属製の薄膜（反射膜３）が形成されており、「ハーフミラー」とも呼ばれている。マジックミラーの光の透過率は、その製造段階で調整可能であり、種々の透過率のマジックミラーが市販されている。
腐食防止膜７と光フィルター８は、共に光透過性を有し、反射膜３の裏面に層状に重ねて固着され、反射膜３の全体（または、一部）を覆って保護している。
【００２０】
鏡母材１１は、ガラス製または合成樹脂製（たとえば、アクリル製）であり、光透過性で無色透明である。星空表示装置１に高い強度が要求される場合には、鏡母材１１の素材を強化ガラスにするのが好ましく、また、軽量化が求められる場合には、鏡母材１１をアクリル樹脂など樹脂からなる樹脂鏡を使用するのが好ましい。さらに、鏡母材１１の表面に反射防止処理およびくもり止め処理のなされたものを使用するのもよい。
反射膜３は、鍍金，金属のスパッタリング，蒸着などにより、光を一部透過するように鏡母材１１に薄く形成された金属製の薄膜である。反射膜３の材料としては一般的にクロム系金属が主流であるが、アルミニウム，銀，銅，鉛，金，その他各種材料を反射膜３として用いたマジックミラーでもよい。
反射膜３には、多数の光透過孔４，４ａ，４ｂが散在して形成されている。たとえば、光透過孔４ａは一の星像を作り出すための孔であり、光透過孔４は他の星像を作り出すための孔であり、光透過孔４ｂは街の灯などを作り出すための孔である。
【００２１】
なお、鏡母材１１が着色透明の場合、または、反射膜３が特定波長帯の光を多く透過，反射または干渉することで反射面が色づいて見える場合など、用途によって種々のマジックミラーを使用することで、さらに応用範囲が広がる。
また、鉛皮膜または無鉛の金属皮膜を反射膜３として用いた反射率の低いミラーは、「ダークミラー」と呼ばれており、反射膜３が黒く高級感と装飾性が高い。ダークミラーは、その反射面の材質や反射率によっては限定されない。
本発明のマジックミラー２としてこのダークミラーを用いれば、より高級感と装飾性が増すので、特にテーブル類や天井材などに本発明の星空表示装置１，１ａ〜１ｃを採用すると効果的である。
【００２２】
腐食防止膜７は、反射膜３の裏面に固着され、反射膜３の全体（または、一部）を覆っている。腐食防止膜７は、透明な樹脂または塗料（たとえば、シリコンワニス）などからなっており、光が透過可能である。
光フィルター８にも、反射膜３に散在して形成された多数の光透過孔と同じ配置で、多数の光透過孔４，４ａ，４ｂが散在して形成されており、光Ｒは、空間になっている各光透過孔４，４ａ，４ｂを通過可能である。なお、光フィルター８に形成された多数の光透過孔４，４ａ，４ｂの内部が空間の場合を示したが、この内部を透光性の物質で埋めた場合であってもよい。
【００２３】
光透過孔４，４ｂを通り抜ける光Ｒは、反射膜３の色素部１５，１５ａでそれぞれ着色される。
たとえば赤，青，黄色などの光透過性の塗料や透明カラーインクなどを光透過孔４，４ｂの内方に塗布または充填することにより、光透過孔４，４ｂに色素部１５，１５ａがそれぞれ形成されている。
その結果、光透過孔４，４ｂを通り抜ける光Ｒを着色し、赤い星，青い星，黄色の星など着色された星像や、着色された街の灯の像などを作り出して、より現実に近い星像群６や街灯りなどを作り出すことができる。
反射膜３の光透過孔４，４ｂには、光透過性で着色された色素部１５，１５ａがそれぞれ形成されているので、光透過孔４，４ｂ（すなわち、色素部１５，１５ａ）を通り抜けた光Ｒ0は、各色素部１５，１５ａの色（たとえば、赤，青，黄色など）に着色されて、それぞれ星像や街の灯などを作り出すことができる。
なお、反射膜３の光透過孔４ａには色素部が形成されていないので、この光透過孔４ａを通り抜けた光Ｒ1は、着色されずにそのまま白い星像を作り出す。
【００２４】
光透過孔以外の場所を通った光Ｒ2は、光フィルター８を通り抜けて着色された光となって背景９を作り出す。
ところで、地上から見た実際の星空は、大気の影響などで完全に暗黒ではなく、たとえば深い青紫色または暗濃紺色に見える。そこで、たとえば、光フィルター８を通り抜けた光が、３８０〜４３０nmの波長域（すなわち、青紫色）になるようにすれば、実際の星空に似た深い青紫色の背景９が作り出される。
星空だけでなく、夕景，夜景も背景として表現したい場合があるが、その場所や時刻などの環境、方角，高度などによっても多様な色合いに変化するので、背景は一様ではない。たとえば、日没直後の西の空は地平線付近が赤く紅色に染まり、高度が高くなるにつれてその色合いは、青や紫から濃紺などへと変化する（グラデーション）。
図示する背景９については、夕日に山の稜線１７や建物などのシルエット，街の灯，月Ｌ2など多様な風景になっている。
このように、背景９は、光フィルター８とマジックミラー２とを組み合わせることによって実現可能である。その結果、ユーザーは、実際の星空を地上から見たときのようなリアル感を感じて、実際の星空に極めて近い臨場感を得ることができる。
【００２５】
反射膜３において、その光透過孔４ａの内部には光透過性の腐食防止膜７と同じ物質が一体的に塗布または充填などにより形成され、光透過孔４には所定の色の色素部１５が塗布または充填などにより形成され、光透過孔４ｂには所定の色の色素部１５ａが塗布または充填などにより形成されている。
腐食防止膜７は、反射膜３の光透過孔４ａを埋め、他の光透過孔４，４ｂの各色素部１５，１５ａに密着してこれを覆っているので、光透過孔４，４ａ，４ｂの位置で金属製の反射膜３が大気と直接接触しないことになり、反射膜３の腐食を防止することができる。
【００２６】
反射膜３と光フィルター８に光透過孔４，４ａ，４ｂなど多数の光透過孔を形成するための加工は、市販の恒星座標データや街の灯用の画像などから得た座標データなどに基づいて、マジックミラー２の裏側の反射膜３と、光フィルター８に、ドリルによる切削加工，エッチング処理，レーザー加工など、一般に広く使われている技術で容易に可能である。
光透過孔を形成するには、反射膜３の一部を除去することになるが、この加工部分では、反射膜３が露出して湿気などにより腐食しやすい。そこで、この加工部分（光透過孔４ａの部分）には、光透過性がよくて無色透明の防湿塗料などを塗布または充填しながら、腐食防止膜７を形成する。そして、光透過性を有して着色された色素部１５，１５ａを光透過孔４，４ｂにそれぞれ塗布または充填したのち腐食防止膜７を形成することにより、耐食性を確保している。
【００２７】
多数の光透過孔４，４ａ，４ｂの各孔径は、星の明るさ等級や街灯りの明るさなどにより決定し、たとえば明るい星は孔径を大きくし、暗い星は孔径を小さくする。多数の光透過孔４，４ａ，４ｂの各孔形状は、通常は円形が好ましいが、円形以外の形状（たとえば、楕円形，三角形，四角形，多角形，星形）であってもよい。
【００２８】
また、星空表示装置１，１ａ〜１ｃを至近距離から見る場合や離れて見る場合など、目的に応じて、多数の光透過孔４，４ａ，４ｂの相互の相対的な大小関係はそのままにして、全体の孔径自体を小さくしたり大きくしたりすればよい。
たとえば、ユーザーが星空表示装置１，１ａ〜１ｃを数十cm〜数ｍの至近距離で見る場合には、光透過孔４，４ａ，４ｂの直径としては、約数十μm〜約１mmであるのが好ましい。
なお、より遠くからユーザーが星空表示装置１，１ａ〜１ｃを見る場合には、全体的により大きな直径の光透過孔４，４ａ，４ｂを形成して、これら光透過孔４，４ａ，４ｂから出る光量を大きくするのが好ましい。
また、鏡の用途によっては、代表的な星座（たとえば、オリオン座）のみを強調するために、この星座を構成する光透過孔４，４ａのみの孔径を大きくしてもよい。
恒星座標データは、宇宙関連機関などのインターネットホームページで公開されていたり、ＣＤ−ＲＯＭなどメディアに記録されて市販されている。したがって、星空の写真などを用いなくても、星の正確な位置と明るさおよびそのスペクトル（色）情報を再現することは容易である。この正確な恒星座標データに基づいて再現された星像群６は、癒し効果や観賞，装飾の用途に留まらず、科学教育（特に、天文教育）の教材としても使用することができる。
【００２９】
「光フィルター」は、それ自体が光着色効果を有する膜状体である場合、透明な膜状体に光透過性のインクなどで着色または印刷した場合、カラー写真フィルムなどのように光着色性粒子層がフィルム表面に形成されている場合、光透過性反射膜面に光透過性インクなどで着色または印刷した場合などがある。
その結果、光フィルターを使用すれば、星像群６の背景（たとえば、所望の色に着色した場合や、グラデーションなどにデザインされた景色など背景）９を容易に形成することができる。
「光学フィルター」とは、光を特定制御するための光学素子である。すなわち、光学フィルターは、たとえば特定波長域（フィルター固有の波長帯）の光を通過させ、他の波長域の光を吸収する物質からなる層を用いて（または、誘電体多層膜などによる光干渉を用いて）、特定波長域の光を取り出すために用いられる。
光学フィルターは、光源部５から発生する光Ｒを通過させることにより、所望の背景９を形成する機能を有しており、光透過性反射膜自体が特定波長帯の光透過性を持つように光制御機能を有している場合がある。
【００３０】
たとえば、光フィルター８の面（前方の面，裏側の面，または両面）に、星像群６の背景９を構成する点，線（たとえば、星座線Ｌ1，模様），面（たとえば、背景色（空），夕焼け），文字，風景，図形（たとえば、街の建物），絵（たとえば、星座の絵），恒星以外の天体（たとえば、月Ｌ2）を各種色彩やその濃淡などにより用途に応じてデザインする場合がある。
こうしてデザインされた光フィルター８を、腐食防止膜７の裏面に密着させることになる。その結果、シャープな星像を保ちつつ、リアルな風景の表現と、装飾性，用途に応じたデザイン自由度の向上との両方を実現している。
【００３１】
図３，図４に示す星空表示装置１における光源部５は、光Ｒを発生する光源２１と、光源２１から所定距離ｄ離れて配置され、鏡部１０にほぼ均一な光を照射するための光拡散板２２とを有している。光源２１と光拡散板２２の間には、所定距離ｄのギャップ２５が確保されている。
光源２１には複数の光発生部２３が配列されており、各光発生部２３から発生した光Ｒが、光拡散板２２の全体（または、一部）に入射するようになっている。光発生部２３に発光ダイオード（ＬＥＤ），蛍光灯，冷陰極管などを使用すれば白色光を発するので好ましいが、星空表示装置１が装飾などを目的とする場合には、白色光以外の光源でもよい。また、星空表示装置１を建物に使用する場合などには、光源２１として日光を導いてもよい。
光発生部２３で発生した光Ｒは、ギャップ２５のところで所定角度で広がった状態で、光拡散板２２の全体（または、一部）に照射される。光発生部２３は複数個配置されているので、光拡散板２２の全体（または、一部）に光Ｒがほぼ均一に照射される。
なお、ＬＥＤを光発生部２３に使用し、個別に不規則に明暗，点滅などさせることにより星の瞬きを表現してもよく、その場合には光拡散板２２は不要である。
また、光源部５と鏡部１０の間にＬＣＤ（液晶表示器）を挟み、ＬＣＤ表示を多点且つ不規則に瞬かせると、色も自由になるので用途も拡がる。なお、光源を兼ねたプラズマ表示装置を鏡部１０の裏側に配置しても、同等の効果を奏する。
【００３２】
光源２１では、電流供給用の配線が設けられた板状の配線板２４に多数の発光ダイオード（光発生部２３）を縦横方向に規則的に並べて配置し、発光ダイオードから白色光が発生するようにしている。
発光ダイオードを使用する場合は、各発光ダイオードの発光にばらつきが生じやすいので、電流が均一に流れて同じ明るさの光を発光させる機能を有する定電流ダイオードやＬＥＤ駆動専用ＩＣなどを使用するのが好ましい。
光拡散板２２は、光源２１の光Ｒを受けて内部で拡散させた後、鏡部１０にほぼ均一な光を照射するためのディフューザーとしての機能を発揮する。そのために、光拡散板２２には、乳白色で光透過性の合成樹脂板が使用されているが、すりガラスなどであってもよい。
光拡散板２２を設け、且つ、光源２１と光拡散板２２の間にギャップ２５を確保したので、光源部５から鏡２に照射される光を、ほぼ均一な面状光にすることができる。
光源部５における照明色や点灯パターンなどについて、最も使用頻度の高いのは白色光で連続点灯であるが、用途に応じて色々な色彩光や色彩の可変，色彩分布，連続点灯，点滅点灯，明暗の可変などを組み合わせれば色々な効果を発揮することができる。
【００３３】
なお、光源部には薄型面発光素子を使用した場合であってもよい。この薄型面発光素子としては、白色光を発生する白色ＥＬ（エレクトロルミネッセンス）シートなどが使用される。この白色ＥＬシートは、ＥＬシートメーカの指定する絶縁処理が行われており、光源部は、その裏面に設けられた押さえ板により保持される。
このような薄型面発光素子を光源部に使用すれば、光源部自体が全体的にほぼ均一な面状光を発生して、この面状光を鏡部１０にほぼ均一に照射することができる。したがって、光源部におけるギャップと光拡散板が不要になり、シート状の光源部を鏡部１０に直接密着させることができる。
その結果、星空表示装置全体を薄型化でき、且つ部品点数を少なくすることができる。したがって、この星空表示装置は、壁掛け鏡，浴室用鏡，窓状鏡などに使用すると奥行き寸法が短くなるので好ましい。
なお、光源部に使用する薄型面発光素子は、テレビ，パソコン，携帯電話などの液晶ディスプレイまたはプラズマディスプレイなどに使用する面照明（バックライト）のようなものであってもよい。
【００３４】
鏡部１０と光源部５の間には遮光板１６が配置されている。遮光板１６は、山脈の稜線１７や建物などをシルエットとして演出するための所定形状を有するシートである。風景画像の場合に、遮光板１６を設けると、山脈や建物などがシルエットとして表示され、スケール感とリアル感が演出される。
なお、遮光板１６は、鏡部１０と光拡散板２２との間に挟持されているが、鏡部１０の内部たとえば、反射膜３と腐食防止膜７との間、または腐食防止膜７と光フィルター８との間に挟持される場合であってもよい。
また、遮光板１６の代わりに、鏡部に遮光性のインクを塗って図形を描いたり、または所定形状の膜状体を光フィルター８に密着させた場合も、稜線１７や建物などのシルエットを演出することができる。
【００３５】
星空表示装置１において、鏡部１０，遮光板１６および光拡散板２２が順に積層され、これらの部材１０，１６，２２の全体が一体化して密着した多層構造をなしているが、図３，図４では一体化する前の状態を示している。なお、この点は、星空表示装置１ａ〜１ｃにおいても同様である。
【００３６】
星空表示装置１において、光源部５で発生した光（たとえば、白色光）は、光フィルター８を通り抜け、腐食防止膜７を通り、マジックミラー２を通ってその表面１２から表側の大気中に出てユーザーの左眼Ｅ1と右眼Ｅ2に至る。
このとき、光フィルター８の光透過孔４，４ｂと反射膜３の光透過孔４，４ｂを通り抜けた光Ｒ0は、色素部１５，１５ａでそれぞれ着色される。光フィルター８の光透過孔４ａと反射膜３の光透過孔４ａを通った光Ｒ1は、色素部はないので、そのまま着色されずにマジックミラー２から表側に出る。光透過孔以外の場所を通った光Ｒ2は、光フィルター８を通り抜けて着色された光となってマジックミラー２から表側に出る。なお、遮光板１６に至った光Ｒはここで遮光される。
このように、光源部５を出た光Ｒは、光フィルター８の後面，光フィルター８と腐食防止膜７との境界面，腐食防止膜７と反射膜３との境界面，反射膜３と鏡母材１１との境界面，鏡母材１１の前面（表面１２）で、それぞれ直進または屈折した光Ｒ0，Ｒ1，Ｒ2となって、やがてユーザーの眼Ｅ1，Ｅ2に届く。これにより、ユーザーは、星空表示装置１のマジックミラー２の表側に出る光を直接見ることができる。
【００３７】
次に、第１の実施例の他の実施態様にかかる星空表示装置１ａについて説明する。
なお、第１の実施例の他の実施態様，第２の実施例および第３の実施例では、第１の実施例の一実施態様と同一または相当部分には同一符号を付してその説明を省略し、異なる部分のみ説明している。
図５に示す星空表示装置１ａの鏡部１０ａでは、マジックミラー２の裏面に直接光フィルター８ａを配置している。すなわち、星空表示装置１ａの光フィルター８ａは、マジックミラー２の反射膜３を覆ってその裏面に固着されている。
光フィルター８ａにも、反射膜３の多数の光透過孔４，４ａ，４ｂと連通して同じ位置に多数の光透過孔４，４ａ，４ｂが散在して形成されている。光透過性の腐食防止膜７が、光フィルター８ａを覆ってその裏面に固着されている。
このようにすれば、腐食防止膜７が外部に露出し、光フィルター８ａはマジックミラー２と腐食防止膜７との間に挟まれて露出しないので、光フィルター８ａに傷が付いたり汚れたりするのを防止することができる。
【００３８】
星空表示装置１ａにおいて、光源部５で発生した光（たとえば、白色光）Ｒは、鏡部１０ａの裏面に入射する。そして、この光は、腐食防止膜７，光フィルター８ａ，マジックミラー２の反射膜３および鏡母材１１を通って、その表面１２から表側の大気中に出て、ユーザーの左眼Ｅ1と右眼Ｅ2に至る。
このとき、光透過孔４，４ｂを通り抜けた光Ｒ0は、光透過孔４，４ｂにそれぞれ形成された色素部１５，１５ａにより赤，青，黄色などに着色されて、星像，街の灯などを作り出す。
光透過孔４ａの内部には、腐食防止膜７が塗布または一体的に充填されており、色素部は形成されていない。したがって、光透過孔４ａを通り抜けた光Ｒ1は、白色光のままで鏡母材１１を通って星像を作り出す。
【００３９】
星空表示装置１ａでは、光透過孔４，４ａ，４ｂを通り抜ける光は、光フィルター８ａを通過しないので、光フィルター８ａの影響を受けない。すなわち、光透過孔４，４ｂを通り抜ける光Ｒ0は、色素部１５，１５ａのみで着色される。光透過孔４ａを通り抜ける光Ｒ1は、この光透過孔４ａに塗布または充填された腐食防止膜７と同じ素材のところを通過するので、着色されず白色光のままである。
光透過孔以外の場所を通った光Ｒ2は、光フィルター８ａにより特定波長域の光（たとえば、青紫色の光）Ｒ2となって、マジックミラー２を通って背景９を作り出す。
光源部５を出た光Ｒは、腐食防止膜７の後面，腐食防止膜７と光フィルター８ａとの境界面，光フィルター８ａと反射膜３との境界面，反射膜３と鏡母材１１との境界面でそれぞれ直進または屈折した光Ｒ0，Ｒ1，Ｒ2となって、やがてユーザーの眼Ｅ1，Ｅ2に届く。これにより、ユーザーは、星空表示装置１ａのマジックミラー２の表側に出る光を直接見ることができる。
このように、光フィルター８ａにも多数の光透過孔を散在して形成したので、光透過孔４，４ａ，４ｂを通り抜ける光Ｒ0，Ｒ1は、光フィルター８ａの影響を受けず、実際の星空に極めて近い色の星像となって臨場感が得られる。
【００４０】
次に、図６に示す第２の実施例にかかる星空表示装置１ｂは、鏡部１０ｂのマジックミラー２における反射膜を光学フィルター８ｂで形成し、光学フィルター８ｂには、多数の光透過孔４，４ａ，４ｂを散在して形成している。また、光学フィルター８ｂの裏面には、光学フィルター８ｂを覆う光透過性の腐食防止膜７を固着している。
すなわち、鏡部１０ｂは、マジックミラー２と、このマジックミラー２の裏面に固着された腐食防止膜７とを有している。
光学フィルター８ｂは、鍍金，金属のスパッタリング，蒸着などにより鏡母材１１に薄く半透明に固着された薄膜であり、且つ、特定波長域の光を通過させ、他の波長域の光を吸収する物質からなる層を用いて（または、誘電体多層膜などによる光干渉を用いて）、特定波長域の光を取り出すために用いる光学素子であり、反射膜としての機能を兼ねている。
【００４１】
星空表示装置１ｂは、腐食防止膜７の裏側に配置された光源部５から光Ｒを照射して、この光Ｒが腐食防止膜７とマジックミラー２を通り抜けてこのマジックミラー２の表側に出ることにより、多数の光透過孔４，４ａ，４ｂに対応する星像群６を作り出すようにしている。これにより、星空表示装置１ｂは、上述の星空表示装置１，１ａと同じ作用効果を奏する。
また、光学フィルター８ｂがマジックミラー２の反射膜の機能を有するので、マジックミラーとは別途に光学フィルターを設ける必要がなくなり、多層構造の鏡部１０ｂの層の数を一つ減らして簡素な構成にすることができる。
【００４２】
光学フィルター８ｂに形成された光透過孔４，４ｂには、色素部１５，１５ａがそれぞれ塗布または充填により形成され、光透過孔４ａには、腐食防止膜７と同じ材質の透光性の物質が塗布または一体的に充填されている。
星空表示装置１ｂにおいて、光源部５で発生した光（たとえば、白色光）Ｒは、鏡部１０ｂに入射し、腐食防止膜７，マジックミラー２を通って、その表面１２から表側の大気中に出て、ユーザーの左眼Ｅ1と右眼Ｅ2に至る。
このとき、光透過孔４，４ｂを通り抜けた光Ｒ0は、色素部１５，１５ａでそれぞれ赤，青，黄色などに着色されて星像，街の灯などを作り出す。光透過孔４ａを通り抜けた光Ｒ1は、色素部がないので白色光のままで星像を作り出す。光透過孔以外の場所を通り抜けた光Ｒ2は、光学フィルター８ｂにより特定波長域の光（たとえば、青紫色の光）となって背景９を作り出す。
【００４３】
このように、光源部５を出た光Ｒは、腐食防止膜７の後面，腐食防止膜７と光学フィルター８ｂとの境界面，光学フィルター８ｂと鏡母材１１との境界面，鏡母材１１の表面１２でそれぞれ直進または屈折した光Ｒ0，Ｒ1，Ｒ2となって、やがてユーザーの眼Ｅ1，Ｅ2に届く。これにより、ユーザーは、星空表示装置１ｂのマジックミラー２の表側に出る光を直接見ることができる。
反射膜の機能を有する光学フィルター８ｂに多数の光透過孔４，４ａ，４ｂを散在して形成したので、光透過孔４，４ａ，４ｂをそれぞれ通り抜ける光Ｒ0，Ｒ1，Ｒ0は、光学フィルター８ｂの影響を受けず、実際の星空に極めて近い色の星像となって臨場感が得られる。
【００４４】
次に、星空表示装置１，１ａ，１ｂを使用することにより、奥行き感のある星像群６や街の灯などを作り出す原理について、図７（Ａ），（Ｂ）を参照して説明する。
マジックミラー２の鏡母材１１の媒質（ガラスやアクリルなどの材質）の違いにより光の屈折率が異なるが、本発明では、明るい星像である「星Ａ」の奥にその「虚像Ｂ」がかすかに見えるようにして、奥行き感を作り出すようにしている。なお、媒質の種類に基づく屈折率の違いによる星像の見えかたの変化は機能上問題にならないので、図７では、屈折による光の変化の図示は省略している。
図７（Ａ）では、光が光透過孔４を通り抜けて作り出される星像を例にとって説明する。鏡部１０，１０ａ，１０ｂに形成された光透過孔４から表側方向に発せられた光（直接光）Ｒ0は、鏡部１０，１０ａ，１０ｂの表面１２の点Ａ1で、その一部が鏡母材１１内に部分反射する。
光透過孔４から発せられた光Ｒ0の大部分は、点Ａ1で屈折し、表面１２から外部に飛び出して、ユーザーの右眼Ｅ2に到達する。その結果、右眼Ｅ2で、明るい星像である星Ａが見える。すなわち、この星Ａから直接発せられた光Ｒ0が右眼Ｅ2に到達するので、右眼Ｅ2は星Ａを実像として見ることになる。
【００４５】
光透過孔４から鏡母材１１内のあらゆる方向に光が発せられている。この光のうち鏡母材１１の表面１２の点Ｂ1に到達した光は、点Ａ1のときと同様にそのほとんどが屈折して鏡母材１１の外部に飛び出していくが、この光は、右眼Ｅ2，左眼Ｅ1とは違う方向を向いているので、実際には見えないことになる。
一方、点Ｂ1で部分反射して弱まった光Ｒ01は、鏡母材１１の反射面１３上の点Ｂ2に進む。この点Ｂ2でさらに全反射した光Ｒ02は、鏡母材１１の表面１２上の点Ｂ3に向かう。点Ｂ3に到達した光Ｒ02は、その一部がこの点Ｂ3でさらに部分反射して減衰する。
点Ｂ3で部分反射せずに残った弱い光は、点Ｂ3で屈折して右眼Ｅ2に到達する。その結果、星Ａの虚像Ｂが星Ａの後方に結ばれ、右眼Ｅ2ではこの虚像Ｂが暗い（弱い）星像として見えることになる。
【００４６】
ここで、光透過孔４から発せられた光Ｒ0が、星Ａとその虚像Ｂとして、右眼Ｅ2に到達するまでの光路を比較する。実像については、星Ａから出た光Ｒ0は、点Ａ→点Ａ1→右眼Ｅ2であるのに対して、虚像Ｂについては、点Ａ→点Ｂ1→点Ｂ2→点Ｂ3→右眼Ｅ2となるので、右眼Ｅ2では、虚像Ｂの方が星Ａより距離の差の分だけ遠くに見えることになる。鏡母材１１の厚みＴが厚くなるほど、前記距離の差が大きくなる。
このようにして、星Ａの奥にその虚像Ｂがかすかに見えるようにしている。虚像Ｂは、反射面１３ではなくさらにその延長上の点Ｂにあるように見えるので、右眼Ｅ2では、実際には同一平面上（すなわち、反射面１３）から発せられる光Ｒ0を見ているにもかかわらず、明るい星Ａと暗い虚像Ｂとが見えるので、奥行きのある星像として認識することになる。上述の原理は、左眼Ｅ1についても同様である。
図７（Ｂ）は、鏡部１０，１０ａ，１０ｂの反射面１３上に星Ａおよびその他多数の星からなる星像群６が見え、これら実像の星像群６の後方にも、虚像Ｂおよびその他多数の虚像が見えている状態を示している。
【００４７】
人間が奥行きのある空間を認識する場合、対象物と両眼（右眼Ｅ2，左眼Ｅ1）とのなす角度と像がそれぞれ脳により合成処理されるので、星Ａとその虚像Ｂを左右の眼Ｅ1，Ｅ2で同時に見た場合も、同様に奥行きのある星像として認識されることになる。
虚像Ｂは、鏡母材１１の内部での反射回数が多く、またこの部分反射光が点Ｂ3でさらに弱まった光になっている。その結果、虚像Ｂの明るさは星Ａと比べて非常に弱い。
星Ａから直接眼（たとえば、右眼Ｅ2) に入る光Ｒ0と、虚像Ｂを見るときの光Ｒ02とのなす角度θは、鏡部１０，１０ａ，１０ｂを至近距離斜めから見た場合を除いて極めて微小であり、虚像Ｂの存在はほとんど意識されない。
したがって、ユーザーは、無意識のうちに奥行き感だけを感じることになる。たとえば、膨大な星の集まりである天の川も、暗い星まで表現することでリアルに作り出して再現すると同時に、星空の奥行き感をさらに効果的に演出することができる。
このように、奥行き感のある星像群６や街の灯などを容易に作り出すことができるので、狭い室内であっても、ユーザーは、リアルな星空を見てリラックスすることができ、また広々とした場所に居るような広域感を感じ取ることができる。
【００４８】
図８ないし図１０に示す第３の実施例にかかる星空表示装置１ｃは、マジックミラー２の反射膜３に光透過孔を形成しないことにより、マジックミラー２を前方から見たときの反射膜３の美観を向上させている。
したがって、星空表示装置１ｃでは、マジックミラー２の反射膜３の裏面に、反射膜３を覆う光透過性の光フィルター８ｃを固着するとともに、光フィルター８ｃに多数の光透過孔４，４ａ，４ｂを散在して形成している。
そして、光フィルター８ｃの裏側に配置された光源部５から光Ｒを照射して、この光Ｒが光フィルター８ｃとマジックミラー２とを通り抜けて、マジックミラー２の表側に出ることにより、多数の光透過孔４，４ａ，４ｂに対応する星像群６を作り出すようにしている。
これにより、星空表示装置１ｃでは、上述の星空表示装置１，１ａと同じ作用効果を奏する。また、光源部５をオフして星空表示装置１ｃを通常の鏡として使用する場合、鏡部１０ｃを前方から見たときに、光透過孔４，４ａ，４ｂは、マジックミラー２の反射膜３に遮られているので一切見えない。したがって、通常の鏡として使用可能な星空表示装置１ｃの商品価値が向上する。
【００４９】
鏡部１０ｃは、マジックミラー２と、マジックミラー２の裏面に固着された光フィルター８ｃとを有している。光フィルター８ｃに形成された光透過孔４，４ｂには、色素部１５，１５ａがそれぞれ形成されているが、光透過孔４ａには色素部が形成されていない場合を示している。
【００５０】
星空表示装置１ｃにおいて、光源部５で発生した光（たとえば、白色光）Ｒは、鏡部１０ｃに入射し、光フィルター８ｃを通り、マジックミラー２を通ってその表面１２から表側の大気中に出て、ユーザーの左眼Ｅ1と右眼Ｅ2に至る。
このとき、光透過孔４ａを通り抜けた光Ｒ1は白色光のままであるが、光透過孔４，４ｂを通り抜けた光Ｒ0は、色素部１５，１５ａでそれぞれ赤，青，黄色などに着色される。なお、遮光板１６に至った光がここで遮光されるのは、他の星空表示装置１，１ａ，１ｂと同じである。
こうして、光透過孔４ａを通った光Ｒ1は一の星像を作り出し、光透過孔４，４ｂを通った光Ｒ0は、他の星像や街の灯などをそれぞれ作り出す。光透過孔以外の場所で光フィルター８ｃを通った光Ｒ2は、特定波長の光（たとえば、青紫色の光）となったのち、マジックミラー２を通って背景９を作り出す。
このように、光源部５を出た光Ｒは、光フィルター８ｃの後面，光フィルター８ｃと反射膜３との境界面，反射膜３と鏡母材１１との境界面，鏡母材１１の前面でそれぞれ直進または屈曲した光Ｒ0，Ｒ1，Ｒ2となって、やがてユーザーの眼Ｅ1，Ｅ2に届く。
これにより、ユーザーは、星空表示装置１ｃのマジックミラー２の表側に出る光を直接見ることができる。
【００５１】
次に、星空表示装置１ｃを使用することにより奥行き感のある星像群６や街の灯などを作り出す原理について、図１０（Ａ），（Ｂ）を参照して説明する。
この星空表示装置１ｃでは、マジックミラー２に光透過孔を形成していないので、光フィルター８ｃの光透過孔を通り抜けて星像が作り出される。したがって、図１０（Ａ）では、光が光透過孔４を通り抜けて作り出される星像を例にとって説明する。
【００５２】
マジックミラー２の鏡母材１１の媒質（ガラスやアクリルなどの材質）の違いにより光の屈折率が異なるが、本発明では、光透過孔４を通り抜けることにより作り出される星Ａの奥にその虚像Ｂがかすかに見えるようにして、奥行き感を作り出すようにしている。なお、媒質の種類に基づく屈折率の違いによる星像の見えかたの変化は機能上問題にならないので、図１０では、屈折による光の変化の図示は省略している。
鏡部１０ｃの光フィルター８ｃに形成された光透過孔４から表側方向に発せられた光（直接光）Ｒ0は、鏡部１０cの表面１２の点Ａ1でその一部が鏡母材１１内に部分反射する。
光透過孔４から発せられた光Ｒ0の大部分は、点Ａ1で屈折し、表面１２から外部に飛び出して、ユーザーの右眼Ｅ2に到達する。その結果、右眼Ｅ2で見えるこの明るい星像を「星Ａ」とする。すなわち、この星Ａから直接発せられた光Ｒ0が右眼Ｅ2に到達するので、右眼Ｅ2では星Ａを実像として見ることになる。
【００５３】
光透過孔４から鏡母材１１内のあらゆる方向に光が発せられている。この光のうち鏡母材１１の表面１２の点Ｂ1に到達した光は、点Ａ1のときと同様にそのほとんどが屈折して鏡母材１１の外部に飛び出していくが、この光は右眼Ｅ2，左眼Ｅ1とは違う方向を向いているので、実際には見えないことになる。
一方、点Ｂ1で部分反射して弱まった光Ｒ01は、鏡母材１１の反射面１３上の点Ｂ2に進み、この点Ｂ2でさらに全反射した光Ｒ02は、鏡母材１１の表面１２上の点Ｂ3に向かう。点Ｂ3に到達した光Ｒ02は、その一部がこの点Ｂ3でさらに部分反射して減衰する。
点Ｂ3で部分反射せずに残った弱い光は、点Ｂ3で屈折して右眼Ｅ2に到達する。その結果、星Ａの虚像Ｂが星Ａの後方に結ばれ、右眼Ｅ2ではこの虚像Ｂが暗い（弱い）星像として見えることになる。
【００５４】
ここで、光透過孔４から発せられた光Ｒ0が、星Ａとその虚像Ｂとして、右眼Ｅ2に到達するまでの光路を比較する。実像については、星Ａから出た光Ｒ0は、点Ａ→点Ａ1→右眼Ｅ2であるのに対して、虚像Ｂについては、点Ａ→点Ｂ1→点Ｂ2→点Ｂ3→右眼Ｅ2となるので、右眼Ｅ2では、虚像Ｂの方が星Ａより距離の差の分だけ遠くに見えることになる。鏡母材１１の厚みＴが厚くなるほど、前記距離の差が大きくなる。
このようにして、星Ａの奥にその虚像Ｂがかすかに見えるようにしている。虚像Ｂは、反射面１３ではなくさらにその延長上の点Ｂにあるように見えるので、右眼Ｅ2では、実際には同一平面上（すなわち、反射面１３）から発せられる光Ｒ0を見ているにもかかわらず、明るい星Ａと暗い虚像Ｂとが見えるので、奥行きのある星像として認識することになる。上述の原理は左眼Ｅ1についても同様である。
図１０（Ｂ）は、鏡部１０ｃの反射面１３上に星Ａおよびその他多数の星からなる星像群６が見え、これら実像の星像群６の後方にも、虚像Ｂおよびその他多数の虚像が見えている状態を示している。
【００５５】
人間が奥行きのある空間を認識する場合、対象物と両眼（右眼Ｅ2，左眼Ｅ1）とのなす角度と像がそれぞれ脳により合成処理されるので、星Ａとその虚像Ｂを左右の眼Ｅ1，Ｅ2で同時に見た場合も、同様に奥行きのある星像として認識されることになる。
虚像Ｂは鏡母材１１の内部での反射回数が多く、また、この部分反射光が点Ｂ3でさらに弱まった光になっている。その結果、虚像Ｂの明るさは星Ａと比べて非常に弱い。
星Ａから直接眼（たとえば、右眼Ｅ2) に入る光Ｒ0 と、虚像Ｂを見るときの光Ｒ02とのなす角度θは、鏡部１０ｃを至近距離斜めから見た場合を除いて極めて微小であり、虚像Ｂの存在はほとんど意識されないので、ユーザーは無意識のうちに奥行き感だけを感じることになる。たとえば、膨大な星の集まりである天の川も、暗い星まで表現することでリアルに作り出して再現すると同時に、星空の奥行き感をさらに効果的に演出することができる。
このように、奥行き感のある星像群６や街の灯などを容易に作り出すことができるので、狭い室内であっても、ユーザーは、リアルな星空を見てリラックスすることができ、また広々とした場所に居るような広域感を感じ取ることができる。
【００５６】
星空表示装置１ｃを通常の鏡として使用している状態で光源部５をオンすると、美しい星像群６や街の灯などが背景９とともに突然パッと目の前に表れてユーザーを驚かすという意外性があり、星空表示装置１ｃを各種商品に適用することができる。
【００５７】
図１ないし図１０で説明したように、星空表示装置１，１ａ〜１ｃで作り出されて表示された星像群６は、あたかも本物の星空のように明るさ（明暗）や色の違う星が集まった状態になっている。ユーザーは、星空表示装置１，１ａ〜１ｃから出る「直接光」を見ることになるので、星像群６は、そのピントがぼやけることがなくシャープな像の集まりになっている。
すなわち、人が実際の星空を見る場合には、恒星の発する「直接光」を見ているが、本発明の星空表示装置１，１ａ〜１ｃでも、恒星と同じように「直接光」を見ることになるので、星像の見え方が、反射光と違って本物の恒星のようにピントぼけのないシャープな星像になる。
また、星像群６は、星座（たとえば、オリオン座）を構成する星やその他の明るい恒星の明るさや色を、実際の星空とほぼ同じになるように個別に表示している。なお、各図面では、オリオン座はおおよその配置で、その他の星は適当な配置になるように、模式的に描かれている。
星空表示装置１，１ａ〜１ｃは、光源部５から外部に不要な光が漏れ出ない構造になっており、また、浴室や屋外などで使用する場合には防水構造になっている。
【００５８】
星空表示装置１，１ａ〜１ｃは、反射光を見るようにした従来のプラネタリウム装置を使用しなくても、シャープで奥行き感のある星像群６を容易に作り出して表示することができる。
すなわち、本発明は、従来のプラネタリウムのようにスクリーンなどに星像群を投影するのではなく、多数の微細な光透過孔４，４ａ，４ｂから発せられた光を直接見るようにしている。
したがって、本発明では、反射光を見るプラネタリウムなどと比べて、ピントぼけのない非常にシャープで美しい星像群６や街の灯などを得ることができ、また、これら星像群６や街の灯などが、マジックミラー２の反射面１３にかすかに暗く映り込む。
【００５９】
こうして映り込んだ星像群は虚像であるが、鏡内部の反射によって、眼Ｅ1，Ｅ2に入るまでの距離が、元の星（星Ａなど）より長くなるので、元の星の後側に虚像があるように錯覚して奥行き感を感じることができる。
このような星像群の映り込みは、マジックミラー２の表面１２の内側（臨界面）での部分反射によるものなので、光Ｒ0，Ｒ1の強度が大幅に減衰したものとなる。その結果、ユーザーが意識して見ない限り分からないほど微小なずれで微弱な映り込みの虚像の星像群（虚像Ｂなど）を無意識のうちに見ることになる。
したがって、ユーザーは、奥行き感だけを感じて、あたかも本物の星空を眺めているような感覚を得ることができるので、観賞や癒しの効果が十分に発揮される。
【００６０】
鏡部１０，１０ａ〜１０ｃは、鏡母材１１が前方側に位置するマジックミラー２を有しており、星空表示装置１，１ａ〜１ｃを使用する際には光源部５が明るくなるので、マジックミラー２は鏡としての機能の一部または大部分を失って、前方側から後方側を透視できる状態になる。その結果、星空表示装置１，１ａ〜１ｃの周囲にある物体や光の映り込みの影響が抑制され、星像群６などがはっきりと見える。
また、鏡部１０，１０ａ〜１０ｃが光フィルター８，８ａ，８ｃ（または、光学フィルター８ｂ）を有しており、光源部５で発生した光Ｒが、光フィルター８，８ａ，８ｃ（または、光学フィルター８ｂ）を通り抜けて特定波長域の光（たとえば、青紫色の光）または種々の波長域の光となるので、色彩，模様，デザインなどを任意に組合せた所望の背景９を作り出して表示することができる。
また、光源部５をオフすれば、マジックミラー２は明るい側からは透視できず鏡になるので、星空表示装置１，１ａ〜１ｃを通常の鏡として使用することができる。
【００６１】
星空表示装置１，１ａ〜１ｃが卓上鏡などのように比較的小さな場合でも、星空表示装置１，１ａ〜１ｃで、星像群６などをシャープ且つリアルで奥行き感のあるように容易に作り出して表示することができる。
したがって、ユーザーの意識がこの星像群６などのみを認識して周囲の存在を意識しなくなると、観賞や癒し効果が十分に発揮される。これは、テレビや映画を観賞する際に、その映像のみが認識されて画面周囲の存在が意識されなくなり、その結果、映像に自己意識が入り込む現象があることと同様である。
また、本発明は、従来のプラネタリウム装置のように無理に部屋全体に星像群を作り出す必要はなく、非常に限られた空間たとえば壁の一部や卓上、または浴室の壁などで、星空の観賞や癒し効果を発揮することができる。
【００６２】
星空表示装置１，１ａ〜１ｃは、従来のプラネタリウム装置などと比べて、簡素で薄型化でき、また、光源部５をオフすれば通常の鏡としても使用できるので実用的であり、しかも、従来使用していた鏡と置き換えるだけでよく、専用の設置場所などを新たに設ける必要はない。
よりリアルな星像群を作り出すために、代表的な明るい星に相当する光透過孔の位置に、実際の色を模した色彩を与えるための色素部（たとえば、色素部１５，１５ａ）を配置することにより、よりリアルな星像を作り出すことができる。
また、光源部５と鏡部１０，１０ａ〜１０ｃとの間に、光を不規則に遮る可動性遮光板などを配置したり、またはＬＣＤ（液晶表示器）やプラズマ表示装置を使用すれば、大気による星の瞬きを再現して、よりリアルな星像群６などを作り出して表示することができる。
また、ＬＥＤなどの発光素子を密に並べて面発光とした場合などは、個々に供給する電流や電圧を不規則に増減させる構成などにすれば好ましい。
【００６３】
次に、本発明の星空表示装置１，１ａ〜１ｃを家具に適用した各種の例について、図１１ないし図１５を参照して説明する。
図１１，図１２，図１３，図１４，図１５は、それぞれ家具が浴室用鏡４１，ドレッサー４２，窓状鏡４３，テーブル４４，星座早見板の機能を有するテーブル４４ａの場合を示している。
【００６４】
図１１に示す浴室用鏡４１は、浴室４０の壁に掛けられているか、または壁にはめ込まれている。浴室４０は湯気が多いので、従来の投影式のプラネタリウムでは、投影光が湯気により乱反射して投影が困難である。また、レンズなどの投影光学系に水滴が付着するとレンズとしての機能を失う恐れがあり、また防水対策も機構上困難である。
これに対して、浴室用鏡４１では、その裏面側に位置する光源部５から光を当てて、表側に出る光をユーザーが直接見ることになるので、浴室４０内に湯気があってもシャープで奥行き感のある星像群と所望の背景とが作り出される。
浴室用鏡４１を浴室４０に設けることにより、入浴中のユーザーは、シャープで奥行き感のあるリアルな星像群とその背景を眺めてリラックスすることができる。
浴室用鏡４１に使用する星空表示装置１，１ａ〜１ｃは、湿気を防止するために防水構造にするとともに、マジックミラー２の表面に水滴が付着するのを防止するために、マジックミラー２の表面に曇り止め処理を行うかまたはマジックミラー２を暖めるのが好ましい。
なお、浴室用鏡４１の近傍にスイッチを設け、このスイッチで浴室４０の電灯や浴室用鏡４１の電源をオン、オフまたは調光できるようにすれば便利である。
【００６５】
図１２ないし図１５にそれぞれ示すドレッサー４２，窓状鏡４３，テーブル４４，４４ａにおいても、星空表示装置１，１ａ〜１ｃが使用されている。その結果、シャープで奥行き感のある星像群と、その背景とを作り出して表示することができ、また、光源部５をオフすれば通常の鏡としても使用することができる。
図１３に示す窓状鏡４３は、窓の形に似せたいわゆる「擬似窓」と呼ばれる鏡であり、窓枠で仕切られた部分にそれぞれ星空表示装置１，１ａ〜１ｃが配置されている。このように、複数（ここでは、４枚）の星空表示装置１，１ａ〜１ｃを組み合わせれば、全体として大きな家具などに適用することが可能である。
図１４に示すテーブル４４では、その天板４５に星空表示装置１，１ａ〜１ｃを取付けた場合を示している。図１５に示すテーブル４４ａでは、星空表示装置１，１ａ〜１ｃが星座早見板の機能を有している。
星空表示装置１，１ａ〜１ｃでは、ダークミラーを採用することで、さらに高い高級感と装飾性を得ることができる。この場合、バーカウンターなどの天板に星空表示装置１，１ａ〜１ｃを使用すれば、より高い高級感と装飾性が発揮される。
【００６６】
図１６は、本発明の星空表示装置１，１ａ〜１ｃが曲面と平面の場合の、建造物５１の正面図である。図１７は、本発明の星空表示装置１，１ａ〜１ｃをミラーハウス５５に適用した場合の、ミラーハウス５５の内部構造の一例を示す斜視図である。
星空表示装置は、全体が曲面状（ここでは、部分円筒状）に形成されているが、その内部構造は星空表示装置１，１ａ〜１ｃと同じである。なお、星空表示装置は、表側が窪んだ曲面の場合や、表側が膨らんだ曲面になっている場合もある。
【００６７】
図１６に示す建造物５１では、通路５２の円筒状天井部に星空表示装置１，１ａ〜１ｃを配置し、平面状の一方の側面に平面状の星空表示装置１，１ａ〜１ｃを配置している。なお、星空表示装置１，１ａ〜１ｃと対向する他方の平面状の側面には、通常の鏡５３が設けられている。
したがって、湾曲した天井の星空表示装置１，１ａ〜１ｃと側面の星空表示装置１，１ａ〜１ｃで星像群６や背景９を作り出すと、この星像群６などが通常の鏡５３に映り込むので、通路５２にいるユーザーＭは、周囲が星空で囲まれたような不思議な感覚になる。
なお、天井の星空表示装置から発する光の映り込みの状態によっては、両方の側面を通常の鏡５３にしてもよい。このようにすれば、平面状の星空表示装置１，１ａ〜１ｃを省略できるので好ましい。
【００６８】
図１７に示すミラーハウス５５は、入口から出口まで続く迷路に多数の鏡を配置した構成を有して、遊園地などに設置されている。ミラーハウス５５では、すべての鏡を本発明の星空表示装置にする必要はなく、一部の鏡を本発明品にすれば十分である。たとえば、所定位置の壁材に平面状の星空表示装置１，１ａ〜１ｃを取付け、曲面状の壁材には曲面状の星空表示装置１，１ａ〜１ｃを設けている。
ミラーハウス５５は、迷路内が明るいときには鏡のある通常のミラーハウスとなるが、ミラーハウスの内部を暗くすれば、ユーザーは自分の姿が鏡には写らず、星空表示装置１，１ａ〜１ｃで作り出された星像群が各鏡で反射して連続的に写し出される。このようにすれば、迷路内にいるユーザーには、あたかも自分が広大な宇宙空間に身を投じてさまよっているような不思議な感覚が演出される。
曲面状の星空表示装置のような曲面の鏡を迷路に配置し、星像群の反射に変化を持たせることで、より不思議な空間を形成して娯楽性を高めることができる。なお、曲面状の星空表示装置の代わりに、平面状の星空表示装置または通常の鏡を使用してもよい。
【００６９】
本発明の星空表示装置１，１ａ〜１ｃを、科学教育用教材などの教育的要素の強いものに使用せず、用途を観賞や癒しまたは装飾的用途に限定する場合には、星像群の配列は必ずしも実際の天体と同じである必要はなく、代表的な星座や天の川などを適宜デザインして配列してもよい。
また、鏡部１０，１０ａ，１０ｂ，１０ｃの全体（または、一部）に多数の微細な光透過孔４，４ａ，４ｂが形成されているので、周囲が暗いときには鏡面全体として仄かな灯を発することになり、就寝灯としての機能も発揮する。
【００７０】
星空表示装置１，１ａ，１ｂは、周囲が明るいときには比較的大きな光透過孔４，４ａ，４ｂが見える場合があるが、その他の微細な多数の光透過孔はほとんど見えない。見える程度の大きさの光透過孔であっても、星空表示装置１，１ａ，１ｂを明るいところで通常の鏡として使用する場合には、そのときの眼の焦点は、鏡に映っている自分の顔や身体などに合っている。
したがって、微細な光透過孔４，４ａ，４ｂの位置では眼の焦点がずれているので、特に意識しない限り光透過孔４，４ａ，４ｂはほとんど見えない。したがって、光源部５をオフすれば、星空表示装置１，１ａ，１ｂを通常の鏡と同じように使用することができる。
【００７１】
以上、本発明の実施例（各種実施態様を含む。以下同じ）を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００７２】
本発明は、上述の壁掛け鏡など家具のほか、玩具類，建造物，ミラーハウス，教材などに適用可能である。
【図面の簡単な説明】
【００７３】
【図１】図１ないし図１７は本発明の実施例を示す図で、図１は、本発明にかかる星空表示装置を有する壁掛け鏡の使用状態を示す斜視図である。
【図２】図１に示す壁掛け鏡の斜視図である。
【図３】前記星空表示装置の第１の実施例にかかる基本構造を示す分解斜視図である。
【図４】第１の実施例の一実施態様を示す組立断面構造図である。
【図５】第１の実施例の他の実施態様を示す組立断面構造図である。
【図６】前記星空表示装置の第２の実施例を示す組立断面構造図である。
【図７】第１の実施例，第２の実施例において、奥行き感のある星像群を作り出す原理を説明する図で、図７（Ａ），（Ｂ）はそれぞれ断面図，斜視図である。
【図８】前記星空表示装置の第３の実施例にかかる基本構造を示す分解斜視図である。
【図９】第３の実施例を示す組立断面構造図である。
【図１０】第３の実施例において、奥行き感のある星像群を作り出す原理を説明する図で、図１０（Ａ），（Ｂ）はそれぞれ断面図，斜視図である。
【図１１】図１１ないし図１５は、本発明の星空表示装置を家具に適用した各種の例を示す図で、図１１は家具が浴室用鏡の場合を示している。
【図１２】家具がドレッサーの場合を示している。
【図１３】家具が窓状鏡の場合を示している。
【図１４】家具がテーブルの場合を示している。
【図１５】家具が、星座早見板の機能を有するテーブルの場合を示している。
【図１６】本発明の星空表示装置が曲面と平面の場合の、建造物の正面図である。
【図１７】本発明の星空表示装置をミラーハウスに適用した場合の、ミラーハウスの内部構造の一例を示す斜視図である。
【符号の説明】
【００７４】
１，１ａ〜１ｃ    星空表示装置
２      マジックミラー
３      反射膜
４，４ａ，４ｂ    光透過孔
５      光源部
６      星像群
７      腐食防止膜
８，８ａ，８ｃ    光フィルター
８ｂ    光学フィルター
１５，１５ａ      色素部
２０    壁掛け鏡（家具）
２１    光源
２２    光拡散板
４１    浴室用鏡（家具）
４２    ドレッサー（家具）
４３    窓状鏡（家具）
４４，４４ａ      テーブル（家具）
５１    建造物
５５    ミラーハウス
ｄ      所定距離
Ｒ，Ｒ0，Ｒ1，Ｒ2    光
【図２】
0004633596.tif 000002
【図３】
0004633596.tif 000003
【図４】
0004633596.tif 000004
【図５】
0004633596.tif 000005
【図６】
0004633596.tif 000006
【図７】
0004633596.tif 000007
【図８】
0004633596.tif 000008
【図９】
0004633596.tif 000009
【図１０】
0004633596.tif 000010
【図１１】
0004633596.tif 000011
【図１２】
0004633596.tif 000012
【図１３】
0004633596.tif 000013
【図１４】
0004633596.tif 000014
【図１５】
0004633596.tif 000015
【図１６】
0004633596.tif 000016
【図１７】
0004633596.tif 000017
【図１】
0004633596.tif 000018